(57)【要約】【課題】  検出部位やユーザの体格等にかかわらず、正確な生体情報の検出を行うことができるように検出装置を固定する検出装置固定用バンド及びそのようなバンドを備える生体情報検出装置を提供することを目的とする。【解決手段】  身体に接触した状態で電位差を検出する一対の検出電極１２，１２を備えている検出装置本体としての筋電検出装置１０を固定する装置固定部２１と、身体に接触した状態で検出電極１２，１２により検出される電位差に対する基準電位を検出する基準電極を兼ねるバンド部２２と、を備える装置固定用バンド２０によって筋電検出装置１０を身体に固定する。【選択図】        図２
2008086399.tif 000002
【特許請求の範囲】
【請求項１】
身体に接触した状態で電位差を検出する一対の検出電極を備えている検出装置本体を固定する装置固定部と、
身体に接触した状態で前記一対の検出電極により検出される電位差に対する基準電位を検出する基準電極を兼ねるバンド部と、
を備えることを特徴とする検出装置固定用バンド。
【請求項２】
前記バンド部は、伸縮性を有する材料で形成されていることを特徴とする請求項１に記載の検出装置固定用バンド。
【請求項３】
前記バンド部は、当該バンド部の長さを調整する長さ調整手段を備えていることを特徴とする請求項１又は請求項２に記載の検出装置固定用バンド。
【請求項４】
前記バンド部のうち、身体と接触する面に、導電性を有する微少突起を設けたことを特徴とする請求項１から請求項３のいずれか一項に記載の検出装置固定用バンド。
【請求項５】
身体に接触した状態で電位差を検出する一対の検出電極を備えている検出装置本体と、
この検出装置本体を身体の検出対象部位に固定する装置固定用バンドとを備え、
前記装置固定用バンドは、
前記検出装置本体を固定する装置固定部と、
身体に接触した状態で前記一対の検出電極により検出される電位差に対する基準電位を検出する基準電位検出機能を備えているバンド部と、
を備えることを特徴とする生体情報検出装置。
【請求項６】
前記検出装置本体のうち、一方の面に前記一対の検出電極を備えており、他方の面に前記バンド部と電気的に接触する電極部を設けたことを特徴とする請求項５に記載の生体情報検出装置。
【請求項７】
前記バンド部は、前記検出装置本体における前記電極部と電気的に接続される電極接続部を備えていることを特徴とする請求項６に記載の生体情報検出装置。
【発明の詳細な説明】
【技術分野】
【０００１】
本発明は、検出装置固定用バンド及び生体情報検出装置に係り、特に生体各部の電位差を検出する装置を固定する検出装置固定用バンド及び生体情報検出装置に関する。
【背景技術】
【０００２】
従来から、例えば筋電位、脈拍、血圧、体温等の生体情報の変化を測定する生体情報検出装置が知られている。この生体情報検出装置は、医療機器としてだけではなく、健康維持や、運動状態を把握するため等の目的で広く利用されている。
【０００３】
このような生体情報検出するものとしては、例えば、生体の筋肉に与えられた電気刺激に対する反応として筋電位を計測する計測手段を設け、生体各所の電位差を検出して、当該計測手段により得られた筋電位を基にして生体情報を取得する技術が知られている（例えば特許文献１参照）。
特許文献１に記載されているような生体各部の電位差を検出することにより生体情報を得る装置においては、電位差を検出する一対の検出電極及び基準電位を検出する基準電極が人体の皮膚に接触するように設けられており、各検出電極の電位差によって筋電位等を検出するようになっている。
【特許文献１】特開２０００−２３２号公報
【発明の開示】
【発明が解決しようとする課題】
【０００４】
しかしながら、生体情報の検出は、その用途により腕や足等、身体の各部位で行われる可能性がある。また、検出対象であるユーザの体格も様々である。このため、検出部位やユーザの体格等により装置を装着する装着部位の太さが異なり、装着部位の太さによっては基準電極が十分に身体表面に接触しない場合がある。基準電極の接触が十分でないと、適切に基準電位を検出することができず、正確な生体情報の検出を行うことができない。
【０００５】
そこで、本発明は以上のような課題を解決するためになされたものであり、検出部位やユーザの体格等にかかわらず、正確な生体情報の検出を行うことができるように検出装置を固定する検出装置固定用バンド及びそのようなバンドを備える生体情報検出装置を提供することを目的とするものである。
【課題を解決するための手段】
【０００６】
請求項１記載の発明における検出装置固定用バンド（例えば図１、図２、図３及び図４の検出装置固定用バンド２０）は、
身体に接触した状態で電位差を検出する一対の検出電極（例えば図２及び図５の検出電極１２）を備えている検出装置本体（例えば図２及び図５の筋電検出装置１０）を固定する装置固定部（例えば図１、図２及び図３の装置固定部２１）と、
身体に接触した状態で前記一対の検出電極により検出される電位差に対する基準電位を検出する基準電極を兼ねるバンド部（例えば図１、図２、図３及び図４のバンド部２２）と、
を備えることを特徴としている。
【０００７】
請求項２記載の発明は、請求項１に記載の検出装置固定用バンドにおいて、
前記バンド部は、伸縮性を有する材料で形成されていることを特徴としている。
【０００８】
請求項３記載の発明は、請求項１又は請求項２に記載の装置固定用バンドにおいて、
前記バンド部は、当該バンド部の長さを調整する長さ調整手段（例えば図２及び図４の面ファスナー２４ａ，２４ｂ）を備えていることを特徴としている。
【０００９】
請求項４記載の発明は、請求項１から請求項３のいずれか一項に記載の検出装置固定用バンドにおいて、
前記バンド部のうち、身体と接触する面に、導電性を有する微少突起（例えば図２の微小突起２３）を設けたことを特徴としている。
【００１０】
請求項５記載の発明における生体情報検出装置（例えば図２及び図５の筋電検出装置１０）は、
身体に接触した状態で電位差を検出する一対の検出電極（例えば図２及び図５の検出電極１２）を備えている検出装置本体（例えば図２及び図５の筐体１１）と、
この検出装置本体を身体の検出対象部位に固定する装置固定用バンド（例えば図１、図２、図３及び図４の装置固定用バンド２０）とを備え、
前記装置固定用バンドは、
前記検出装置本体を固定する装置固定部（例えば図１、図２及び図３の装置固定部２１）と、
身体に接触した状態で前記一対の検出電極により検出される電位差に対する基準電位を検出する基準電位検出機能を備えているバンド部（例えば図１、図２、図３及び図４のバンド部２２）と、
を備えることを特徴としている。
【００１１】
請求項６記載の発明は、請求項５に記載の生体情報検出装置において、
前記検出装置本体のうち、一方の面に前記一対の検出電極を備えており、他方の面に前記バンド部と電気的に接触する電極部（例えば図２及び図５の基準電位電極部１３）を設けたことを特徴としている。
【００１２】
請求項７記載の発明は、請求項６に記載の生体情報検出装置において、
前記バンド部は、前記検出装置本体における前記電極部と電気的に接続される電極接続部（例えば図７の電極接続部２５）を備えていることを特徴としている。
【発明の効果】
【００１３】
請求項１記載の発明によれば、装置固定部によって身体に接触した状態で電位差を検出する一対の検出電極を備えている検出装置本体を固定するとともに、バンド部によって基準電位を検出することができる。
【００１４】
請求項２記載の発明によれば、バンド部は、伸縮性を有する材料で形成されているので、装着時に身体表面に密着させることができる。
【００１５】
請求項３記載の発明によれば、バンド部は、長さを調整する長さ調整手段を備えているので、様々な太さ、形状の装着部位に対応可能である。
【００１６】
請求項４記載の発明によれば、バンド部のうち、身体と接触する面には、導電性を有する微少突起が設けられているので、装着時の通気性を確保できるとともに、基準電位を検出する機能を十分果たすことが可能である。
【００１７】
請求項５記載の発明によれば、装置固定用バンドの装置固定部によって一対の検出電極を備えている検出装置本体を固定するとともに、検出装置本体によって身体に接触した状態で電位差を検出し、装置固定用バンドのバンド部によって基準電位を検出することができる。
【００１８】
請求項６記載の発明によれば、検出装置本体は、一対の検出電極を備えている面とは反対の面に設けられた電極部によってバンド部と電気的に接触し、確実に基準電位をとることができる。
【００１９】
請求項７記載の発明によれば、検出装置本体に設けられた電極部とバンド部に設けられた電極接続部とが電気的に接続されることにより、確実に基準電位をとることができる。
【発明を実施するための最良の形態】
【００２０】
以下、本発明の生体情報検出装置の好適な実施形態について説明するために、生体情報として腕の筋電位を検出して筋肉活動状態を測定する場合を例にとって説明する。
【００２１】
図１は、ユーザが本発明に係る生体情報検出装置としての筋電検出装置（検出装置本体）１０を本発明に係る検出装置固定用バンドである装置固定用バンド２０によって装着した様子を示す図であり、図２は、図１に示す装置固定用バンド２０及び筋電検出装置１０の装着状態を示す断面図である。
【００２２】
筋電検出装置１０で運動時の腕Ａの筋肉の筋電位を測定する場合には、例えば、図１に示すように、いずれか一方の腕Ａの上腕二頭筋に筋電検出装置１０が装着される。また、例えば手首等には、筋電検出装置１０との間でデータ通信が可能な腕時計型の制御装置（図示せず）が装着される。
尚、本実施形態では、筋電検出装置１０を１つ備え腕Ａの筋肉の筋電位を測定する場合を例として説明するが、身体に装着する筋電検出装置１０の数や装着する部位はこれに限定されない。例えば両腕の上腕二頭筋にそれぞれ筋電検出装置１０を装着する構成としてもよいし、足の大腿四頭筋の外側広筋等、他の身体部位に筋電検出装置１０を装着する構成としてもよい。
【００２３】
この装着にあたって、ユーザは、図１及び図２に示すように、筋電検出装置１０を腕Ａの上腕二頭筋の筋電位を測定可能な腕Ａの表面に貼付して装置固定用バンド２０により固定する。
【００２４】
この筋電検出装置１０の装着により、当該筋電検出装置１０に備わる一対の検出電極１２（後述）が、その延在方向を筋繊維Ｍの長さ方向に対して略直交するように配置されることになる（図５参照）。そして、ユーザは、制御装置を操作して筋電位の測定を開始させてから運動を開始する。或いは、ユーザは、運動途中から筋電位の測定を開始させることも可能である。
このような運動を行う場合、腕の筋肉は活動と休止を繰り返すので、その筋肉の活動状態と休止状態とを筋電位により検出すれば、筋肉の活動周期を得ることができる。
【００２５】
ここで、まず、装置固定用バンド（検出装置固定用バンド）２０の構成について説明する。
【００２６】
装置固定用バンド２０は、筋電検出装置１０を固定する装置固定部２１と、装着部位にかけ回されるバンド部２２とを備えている。
【００２７】
図１及び図３に示すように、装置固定部２１は、身体表面（皮膚Ｓ）と接触しない側に向かって窪む凹部である。装置固定部２１の長さ寸法及び窪みの深さは、筋電検出装置１０の外形寸法よりもわずかに大きく形成されており、筋電検出装置１０が装置固定部２１に嵌め込まれたときに装置固定部２１の内壁が筋電検出装置１０の外形を保持することにより筋電検出装置１０を固定するようになっている。また、装置固定部２１の内壁のうち、筋電検出装置１０が装置固定部２１に嵌め込まれたときに筋電検出装置１０の検出電極１２が設けられている面とは反対の面に接触する部分は、導電性の材料により形成されており、後述のように身体の基準電位がバンド部２２で検出されたときは、これを筋電検出装置１０に導通させることができるようになっている。
【００２８】
バンド部２２は、樹脂等、導電性と伸縮性とを有する材料によって形成されており、様々な体格のユーザの各種装着部位に広く対応可能なように長尺に形成されている。バンド部２２は、身体装着時に装着部位の外周面（例えば腕の外周面等）にかけ回すことにより、身体に接触して前記一対の検出電極１２により検出される電位差に対する身体の基準電位を検出する基準電位検出機能を備えており、基準電極を兼ねるようになっている。
【００２９】
バンド部２２の幅は特に限定されないが、運動時に身体の動きを阻害しない程度の幅に形成されている。尚、図１、図３及び図４では、バンド部２２が、その全体にわたって装置固定部２１よりもわずかに広い幅寸法に形成されている例について図示しているが、バンド部２２の幅や形状はここに例示したものに限定されない。例えば、バンド部２２が、装置固定部２１の設けられている位置において最も幅広くなり、両端部に向かう従って徐々に幅が狭くなる形状となっていてもよい。
【００３０】
尚、装置固定用バンド２０を形成する材料は、身体表面（皮膚Ｓ）への密着性、装着感の観点から、スポンジ状の柔らかく軽量のものが好ましい。また、装置固定用バンド２０を形成する材料は導電性と伸縮性とを兼ね備えたものであればよく、樹脂等に限定されない。
【００３１】
図２に示すように、バンド部２２の身体表面（皮膚Ｓ）に接触する面には、導電性を有する微小突起２３が設けられている。導電性を有する微小突起２３を設けることにより、バンド部２２を身体表面（皮膚Ｓ）に接触させたときに、基準電位の検出性を維持しつつ、通気性を確保することができ、運動により発汗した場合でも汗を発散させて良好な装着感を維持することができる。
【００３２】
図４に示すように、装置固定用バンド２０の外面（身体表面（皮膚Ｓ）と接触しない側の面）の一端と、内面（身体表面（皮膚Ｓ）と接触する側の面）の一端には、それぞれバンド部の長さを調整する長さ調整手段として雄雌の起毛群よりなる面ファスナー（例えば、マジックテープ（登録商標）、ベロクロファスナー）２４ａ，２４ｂが縫着されている。ユーザは、筋電検出装置１０の装着部位である自分の腕の太さに応じて、この面ファスナー２４ａ，２４ｂを固定する位置を調整し、バンド部２２の長さを装着部位に適した長さに調整するようになっている。
【００３３】
次に、装置固定用バンド２０によって固定される筋電検出装置１０の構成について説明する。
【００３４】
図５は筋電検出装置１０の平面図である。
図２及び図５に示すように、筋電検出装置１０には、筐体１１と、一対の筋電位検出用の検出電極１２と、一対の検出電極１２により検出された電位に対する基準電位を前記装置固定用バンド２０のバンド部２２から筋電検出装置１０に導通させるための基準電位電極部１３と、を備えている。
【００３５】
尚、筋電検出装置１０の身体表面（皮膚Ｓ）への密着性をよくするため、筐体１１は、樹脂等の可撓性を有する材料で形成されていることが好ましい。
【００３６】
検出電極１２は、生体の２点間の電位差を検出する電位差検出用の電極であり、互いに平行に配置されて筐体１１の一方の面から外部に露出するようになっている。検出電極１２は、前述のようにその延在方向が筋繊維Ｍの長さ方向に対して略直交するように配置されている。尚、一対の検出電極は導電性樹脂により形成された樹脂電極であることが好ましい。
【００３７】
基準電位電極部１３は、バンド部２２を身体に装着したときにバンド部２２と電気的に接続されバンド部２２によって検出された基準電位を筋電検出装置１０に導通させるものであり、筐体１１の前記一対の検出電極の設けられている面の反対面に設けられている。
尚、基準電位電極部１３の形状、配置等は図示例に限定されない。例えば、筐体１１の前記一対の検出電極の設けられている面の反対面の全部又は一部に平面的に基準電位電極部１３を設けてバンド部２２と基準電位電極部１３とを面接触させることにより、バンド部２２によって検出された基準電位を筋電検出装置１０に導通させる構成としてもよい。
【００３８】
図６は、筋電検出装置１０の制御構成の一例を示す全体回路ブロック図である。図６に示すように筋電検出装置１０は、測定部１１０と、ＣＰＵ１２０と、送受信部１３０と、記憶部１４０とを備えて構成されている。
【００３９】
このうち測定部１１０は、生体情報としての筋電位を測定する機能部であり、一対の検出電極１２と、基準電極１３と、前記一対の検出電極１２及び基準電極１３により検出された電位差を低インピーダンス変換して出力するインピーダンス変換器１１２と、このインピーダンス変換器１１２から入力される信号を所定の信号レベルまで増幅して出力する増幅器１１３と、この増幅器１１３から入力される信号のうち所定の周波数範囲の信号を通過させて範囲外の周波数成分を除去するフィルタ１１４と、このフィルタ１１４から入力される信号をＡ／Ｄ変換して出力するＡ／Ｄ変換器１１５とで構成されている。
【００４０】
一対の検出電極１２で検出される２点間の電位変化は数１０μＶ〜数ｍＶで筋電位の周波数帯は２〜１０ＫＨｚである。一般に、生体のインピーダンスは非常に高いので、インピーダンス変換器（例えば電圧フォロー型の回路）１１２でインピーダンス変換を行う。次に、増幅器（例えば作動増幅器）１１３により、電圧を１００倍程度に増幅し、筋電波形を処理できるようにする。この増幅器１１３により増幅された波形には、様々な雑音（ノイズ）が重畳されている。そこで、次段のフィルタ１１４によって、筋電波形として処理する範囲外の周波数成分を除去する。次に、フィルタ１１４から入力される信号（アナログ信号）をＡ／Ｄ変換器（例えば１２ｂｉｔのＡ／Ｄ変換器）１１５でデジタル信号化する。
なお、ここではフィルタ１１４としてアナログフィルタを使用したが、アナログフィルタの代わりに、デジタルフィルタを用いてもよい。この場合には、デジタルフィルタは、Ａ／Ｄ変換器１１５の後段に設けられる。
【００４１】
ＣＰＵ１２０は、記憶部１４０に記憶されるプログラムやデータ、制御装置から送信されたデータ等に基づいて筋電検出装置１０内の各機能部への指示やデータの転送等を行い、筋電検出装置１０を制御する。また本実施形態を実現するため、ＣＰＵ１２０は、測定部１１０の検出電極１２及び基準電極１３により連続的に測定される筋電位（検出結果）に基づいて筋肉の活動状態（生体活動に関する指標データ）を算出し、算出結果を制御装置に送信する筋肉活動検出処理を実行する。
尚、ＣＰＵ１２０によって算出される生体活動に関する指標データとしては、例えば、整流化平均値（ＡＲＶ：Averaged Rectified Value）、ＲＭＳ（Root Mean Square Value）、積分値、平均周波数（ＭＰＦ：Mean Power Frequency）、メジアン周波数（Median Frequency）等が挙げられるが、算出される生体活動に関する指標データはここに例示したものに限定されない。
【００４２】
送受信部１３０は、外部の装置である制御装置との間で無線通信を行うための機能部であり、例えば図示しないアンテナを介して制御装置から送信された信号を復調してＣＰＵ１２０に出力する一方、ＣＰＵ１２０から入力される制御信号を変調し、アンテナを介して制御装置に送信する。本実施形態において、送受信部１３０は、例えば、制御装置から送信される測定開始信号を受信するとともに、制御装置に対して測定結果を送信する。
【００４３】
記憶部１４０は、ＲＯＭやＲＡＭ等のＩＣメモリ、ハードディスク等の情報記憶媒体及びその読取装置等によって実現されるものであり、ＣＰＵ１２０に筋電検出装置１０を制御させるためのプログラム等が記憶されている。
【００４４】
次に、本実施形態の作用について説明する。
まず、筋電検出装置１０を装着する際には、筋繊維Ｍが一対の検出電極１２の延在方向に対して略直交となるようにユーザは筋電検出装置１０を配置し、その上から装置固定用バンド２０を腕Ａの外周面にかけ回す。そして、装置固定部２１に筋電検出装置１０を嵌め込むことにより筋電検出装置１０を身体表面（皮膚Ｓ）に固定する。ユーザは検出部位に適した長さとなるようバンド部２２の長さを調整し、バンド部２２の両端を面ファスナー２４ａ，２４ｂで留める。これにより、筋電検出装置１０の装着が完了する。ここで、「略直交となるように配置」とは、筋繊維Ｍに対して完全に直交するように配置することが好ましいが、箇所によっては筋繊維Ｍ自身も湾曲しているために、少なくとも筋電位を検出するうえで精度上問題がない範囲で直交方向から傾けて配置する場合も含むこととする。
【００４５】
この際、一対の検出電極１２が筐体１１の一面から露出しているので、これらの電極１２が肌に対して密着することになる（図２参照）。また、装置固定部２１に筋電検出装置１０を嵌め込むことにより筋電検出装置１０の基準電位電極部１３が装置固定用バンド２０の装置固定部２１の内面に接触し、バンド部２２により検出された身体の基準電位を筋電検出装置１０に導通させる。
【００４６】
その後、制御装置から送受信部１３０を介して開始指示が入力されると、ＣＰＵ１２０は、筋電検出装置１０内の各機能部への指示やデータの転送等を行い、筋電検出装置１０を制御する。また本実施形態を実現するため、ＣＰＵ１２０は、測定部１１０により連続的に測定される筋電位（検出結果）に基づいて筋肉の活動状態（生体活動に関する指標データ）を算出し、算出結果を制御装置に送信する筋肉活動検出処理を実行する。
制御装置では、筋電検出装置１０から送られた算出結果を図示しない表示部に表示させる等によりユーザに報知する。
【００４７】
以上のように、本実施形態によれば、筋電検出装置１０が装置固定部２１に嵌め込まれたときに装置固定部２１の内壁が筋電検出装置１０の外形を保持することにより筋電検出装置１０を身体表面（皮膚Ｓ）に固定するとともに、バンド部２２が身体の基準電位を検出する基準電極を兼ねている。このため、装置固定用バンド２０の装置固定部２１に嵌め込むだけで容易に筋電検出装置１０を身体の電位差を検出可能な状態で検出対象部位に固定することができる。また、バンド部２１を装着部位にかけ回すだけで、ユーザの体格や装着部位の形状、運動によるずれ等を気にすることなく、容易に身体の基準電位を検出することができる。
【００４８】
また、バンド部２２は、伸縮性を有する材料で形成されているので、装着時に身体表面に密着させることができるとともに、運動時に身体の動きを阻害することなく筋電検出装置１０を固定することができる。
【００４９】
さらに、バンド部２２には、長さを調整する長さ調整手段として面ファスナー２４ａ，２４ｂが設けられている。面ファスナー２４ａ，２４ｂは固定面積が広いため、ユーザの任意の位置で固定することができる。このため、様々な太さ、形状の装着部位に対応してバンド部２２の長さを調節可能であり、装着部位や装着するユーザの体格等にかかわらず、筋電検出装置１０をユーザの身体表面（皮膚Ｓ）に固定することができる。
【００５０】
また、バンド部２２のうち、身体と接触する面には、導電性を有する微少突起２３が設けられているので、バンド部２２を身体表面（皮膚Ｓ）に接触させたときに、基準電位の検出性を維持しつつ、通気性を確保することができる。このため、運動により発汗した場合でも汗を発散させて良好な装着感を維持することができる。
【００５１】
また、筋電検出装置１０の筐体１１には、一対の検出電極１２を備えている面と反対の面にバンド部２２と電気的に接触する基準電位電極部１３が設けられているので、確実に基準電位を筋電検出装置１０に導通させることができる。
【００５２】
また、バンド部２２に電極接続部２５が設けられているので、筋電検出装置１０に設けられた基準電位電極部１３とバンド部２２に設けられた電極接続部２５とが電気的に接続されることにより、確実に基準電位を筋電検出装置１０に導通させることができる。
【００５３】
なお、本発明は上記実施形態に限らず適宜変更可能である。
例えば、本実施形態では、バンド部２２の長さを調整する長さ調整手段としてバンド部２２の外面一端及び内面一端に面ファスナー（例えば、マジックテープ（登録商標）、ベロクロファスナー）２４ａ，２４ｂを設けるものとしたが、長さ調整手段はこれに限定されない。例えば、バンド部２２の各端部にそれぞれ、フックとフック係止部や、雄雌のスナップボタンや、ボタンとボタン孔等を複数設けて、複数段階でバンド部２２の長さを調節できるようにしてもよい。
【００５４】
また、本実施形態では、装置固定部２１として、筋電検出装置１０が装置固定部２１に嵌め込まれたときに装置固定部２１の内壁が筋電検出装置１０の外形を保持することにより筋電検出装置１０を固定する構成のものを例として説明したが、装置固定部２１は、装置固定用バンド２０を装着部位に装着した場合に、筋電検出装置１０を位置ずれしないように固定可能なものであれば足り、ここに例示した形状に限定されない。
【００５５】
また、本実施形態では、筋電検出装置１０の基準電位電極部１３が装置固定用バンド２０の装置固定部２１の内面に接触することにより、バンド部２２により検出された身体の基準電位を筋電検出装置１０に導通させるように構成したが、基準電位を筋電検出装置１０に導通させる構成はここに例示したものに限定されない。
【００５６】
例えば、図７に示すように、装置固定部２１の内壁の、筋電検出装置１０が装置固定部２１に嵌め込まれたときに筋電検出装置１０の基準電位電極部１３に対応する位置に、導電性の材料により形成された電極接続部２５を設けて、バンド部２２で検出された身体の基準電位を電極接続部２５を介して筋電検出装置１０に導通させるようにしてもよい。
この場合には、この電極接続部２５が導電性の材料で形成されていてバンド部２２で検出された基準電位を筋電検出装置１０に導通させることができれば足り、装置固定部２１の内壁自体が導電性の材料により形成されている必要はない。
【００５７】
また、本実施形態では、筋電検出装置１０と装置固定用バンド２０とは別体として設けられていたが、装置固定用バンドが、筋電検出装置と一体となった構成としてもよい。この場合、筋電検出装置１０には、身体に接触した状態で電位差を検出する一対の検出電極と、筐体（検出装置本体）と、この筐体を身体の検出対象部位に固定する装置固定部及び基準電位検出機能を備えているバンド部を有する装置固定用バンドと、が設けられる。
【００５８】
その他、本発明が上記実施の形態に限らず適宜変更可能であるのは勿論である。
【図面の簡単な説明】
【００５９】
【図１】本発明の実施形態の生体情報検出装置としての筋電検出装置を装置固定用バンドにより装着した状態を示す斜視図である。
【図２】本発明の実施形態の筋電検出装置を装置固定用バンドにより装着した状態を示す断面図である。
【図３】本発明の実施形態の装置固定用バンドを示す斜視図である。
【図４】本発明の実施形態の装置固定用バンドの長さ調整手段を示す斜視図である。
【図５】本実実施形態の生体情報検出装置としての筋電検出装置の平面図である。
【図６】図２の筋電検出装置の制御構成の一例を示す全体回路ブロック図である。
【図７】図２の装置固定用バンドの変形例を表す正面図である。
【符号の説明】
【００６０】
１０      筋電検出装置（生体情報検出装置）
１１      筐体
１２      検出電極
１３      基準電位電極部
２０      装置固定用バンド（検出装置固定用バンド）
２１      装置固定部
２２      バンド部
２３      微小突起
２４      面ファスナー
２５      電極接続部
１１０      測定部
１１２      インピーダンス変換器
１１３      増幅器
１１４      フィルタ
１１５      Ａ／Ｄ変換器
１２０      ＣＰＵ
１３０      送受信部
Ａ      腕
Ｍ      筋繊維
Ｓ      皮膚（身体表面）
【図１】
2008086399.tif 000003
【図２】
2008086399.tif 000004
【図３】
2008086399.tif 000005
【図４】
2008086399.tif 000006
【図５】
2008086399.tif 000007
【図６】
2008086399.tif 000008
【図７】
2008086399.tif 000009